(57)【特許請求の範囲】
【請求項１】
溝型鋼のような片側水平フランジを有して床梁を構成する鋼材の下方に天井パネルを吊るための天井吊り金具であって、
レールを有して鋼材の下側を鋼材の幅方向に延び、先端に係止片が立ち上がる、前記レールとの間で水平フランジを挟む仮止め部が設けられたアウター部材と、
前記幅方向にのみスライドできるように前記アウター部材のレールに嵌まり、前記アウター部材との間で水平フランジを挟む庇部を有するインナー部材と、
前記アウター部材から長さ調節可能に垂下する吊り具と、
前記吊り具の下端に設けられた取付プレートとを備え、
前記庇部と前記係止片との間隔が狭まる方向への前記インナー部材のスライドは許容する一方、広がる方向へのスライドは阻止するストッパ機構と、このストッパ機構のスライド阻止機能を解除する解除機構とを設けてなることを特徴とする天井吊り金具。
【請求項２】
前記ストッパ機構が、前記インナー部材に設けたラックと、前記アウター部材に設けられラックに係合する爪とにより構成されていることを特徴とする請求項１記載の天井吊り金具。
【請求項３】
前記ラックが幅方向に所定ストロークだけスライドできるように前記インナー部材に嵌まり、前記インナー部材と前記ラックとの間に弾性部材が設けられ、かつ前記ラックの基端に前記インナー部材から外方へ引き出された打ち込み部が設けられていることを特徴とする請求項２記載の天井吊り金具。
【請求項４】
前記吊り具が、前記幅方向に移動可能とされてなることを特徴とする請求項１記載の天井吊り金具。
【請求項５】
請求項１ないし請求項４のいずれか一項に記載の天井吊り金具を用いてなることを特徴とする天井吊り構造。
【発明の詳細な説明】
【０００１】
【発明の属する技術分野】
本発明は溝型鋼などが用いられている吹き抜け部の天井吊り金具に関する。さらに詳しくは、溝型鋼の水平フランジを利用して天井を吊ることができる天井吊り金具に関する。
【０００２】
【従来の技術】
従来より、例えば吹抜け部などの床梁に溝型鋼を用い、その階下に天井パネルを取り付ける場合、図１２に示すように、ほぼ水平に支持した溝型鋼５１の上に階上の床パネル５２を固定し、溝型鋼５１の下方に階下の天井パネル５３を支持しておいて、この床パネル５２の根太５２ａと天井パネル５３の桟５３ａとに吊木５４を釘５５で打ち付けることが行われている。
【０００３】
しかしながら、前記従来のものでは、吊木５４を釘５５で打ち付けることにより天井パネル５３を床パネル５２に固定しているので、施工後に天井パネル５３の高さを容易には調整できないという問題がある。とりわけ微調整ができないという問題がある。
【０００４】
また、吊木５４で連結されているため、床パネル５２の振動が天井パネル５３に伝わり易いという問題がある。さらに、吊木５４を打ち付けるときに、床パネル５２の根太５２ａと天井パネル５３の桟５３ａとの位置を合わせる必要があるが、レイアウト上、これが困難な場合があるという問題がある。さらにその上、吊木５４を切断し、釘２本５５、５５を２箇所に打つという一連の作業は手間がかかるという問題もある。しかも、床パネルの釘打ち作業は上向きの作業となるから作業性が悪く手間がかかり、また足場作業であるために危険を伴うという問題もある。
【０００５】
【発明が解決しようとする課題】
本発明はかかる従来技術の課題に鑑みなされたものであって、溝型鋼のように片側水平フランジを有する鋼材により上階の床梁を構成したときに、この片側水平フランジを利用して天井パネルを吊ることができ、施工後に天井パネルの高さを容易に調整でき、床パネルの振動が天井パネルに伝わり難く、しかも天井パネルを作業性良く簡単に取り付けられる天井吊り金具を提供することを目的としている。
【０００６】
【課題を解決するための手段】
本発明の天井吊り金具は、溝型鋼のような片側水平フランジを有して床梁を構成する鋼材の下方に天井パネルを吊るための天井吊り金具であって、
レールを有して鋼材の下側を鋼材の幅方向に延び、先端に係止片が立ち上がる、前記レールとの間で水平フランジを挟む仮止め部が設けられたアウター部材と、
前記幅方向にのみスライドできるように前記アウター部材のレールに嵌まり、前記アウター部材との間で水平フランジを挟む庇部を有するインナー部材と、
前記アウター部材から長さ調節可能に垂下する吊り具と、
前記吊り具の下端に設けられた取付プレートとを備え、
前記庇部と前記係止片との間隔が狭まる方向への前記インナー部材のスライドは許容する一方、広がる方向へのスライドは阻止するストッパ機構と、このストッパ機構のスライド阻止機能を解除する解除機構とを設けてなることを特徴とする。
【０００７】
本発明の天井吊り金具においては、前記ストッパ機構は、例えば前記インナー部材に設けたラックと、前記アウター部材に設けられラックに係合する爪とにより構成されている。
【０００８】
また、本発明の天井吊り金具においては、前記ラックが幅方向に所定ストロークだけスライドできるように前記インナー部材に嵌まり、前記インナー部材と前記ラックとの間に弾性部材が設けられ、かつ前記ラックの基端に前記インナー部材から外方へ引き出された打ち込み部が設けられているのが好ましく、前記吊り具が幅方向に移動可能とされてなるのがさらに好ましい。
【０００９】
【作用】
解除機構を作動させてストッパ機構のスライド阻止機能を解除し、インナー部材をスライドさせて庇部と係止片との間隔を広げ、これを鋼材の水平フランジに嵌め、かつ取付プレートが天井パネルの桟に合うように吊り具の位置を調整し、解除機構を不作動にしてストッパ機構を作動させてからインナー部材をスライドさせ、庇部と係止片との間隔を狭めてこれらの間で水平フランジを挟み、取付プレートに天井パネルの桟を取り付け、吊り具の長さを適宜調整して天井パネルの高さを調整すれば、施工が完了する。
【００１０】
ここで、前記ストッパ機構が、前記インナー部材に設けたラックと、前記アウター部材に設けられラックに係合する爪とにより構成されている天井吊り金具にあっては、ラックの歯が爪を弾性変形ないしは揺動させて移動することにより、庇部と係止片との距離が狭まる方向へのインナー部材のスライドが許容され、ラックの歯に爪が噛むことにより、庇部と係止片との距離が広がる方向へのインナー部材のスライドが阻止される。
【００１１】
また、前記ラックが幅方向に所定ストロークだけスライドできるように前記インナー部材に嵌まり、前記インナー部材と前記ラックとの間に弾性部材が設けられ、かつ前記ラックの基端に前記インナー部材から外方へ引き出された打ち込み部が設けられている天井吊り金具にあっては、庇部と係止片との間で水平フランジを挟むためにインナー部材をスライドさせていくときには、反力によりラックがインナー部材の基端側に押しつけられる。そして、庇部と係止片との間で水平フランジを挟み、インナー部材がそれ以上はスライドできなくなってから打ち込み部を打撃すると、ラックの歯が爪を変形ないしは揺動させて移動し、弾性部材が復元力を蓄え、この復元力によりラックの歯に爪を押す方向の力が発生し、これにより振動などにより爪がラックの歯から外れるのが防止される。
【００１２】
さらに、吊り具の幅方向の位置調整が可能とされてなる天井吊り金具にあっては、吊り具を幅方向に移動させることにより取付けプレートの天井パネルの桟に位置合わせが容易になされる。
【００１３】
その上、前記アウター部材に、前記レールとの間で水平フランジを挟む仮止め部が設けられてなる天井吊り金具にあっては、最初に庇部と係止片との間隔を広げた状態で天井吊り金具を鋼材の水平フランジに嵌めたときに、仮止め部が水平フランジに係止されるから、天井吊り金具が鋼材に仮止めされる。
【００１４】
【発明の実施の形態】
以下、添付図面を参照しながら本発明を実施の形態に基づいて説明するが、本発明はかかる実施の形態のみに限定されるものではない。
【００１５】
本発明の一実施の形態の天井吊り金具が用いられている吹き抜け部の天井吊り構造を図３に示し、この天井吊り構造Ｈは、水平に支持された溝型鋼１に階上の床パネル２を配設するとともに、溝型鋼１の片側水平フランジ３に天井吊り金具１０が固定され、この天井吊り金具１０に天井パネル４が取付けられてなるものである。
【００１６】
天井吊り金具１０は、図１〜図５に示すように、アウター部材１１を有し、このアウター部材１１は、横置きされた筒形の本体１１ａと、この本体１１ａから水平に延びる断面略Ｕ字形のレール１１ｂと、このレール１１ｂの内側基端部から一体的に起立状に形成されている仕切壁１１ｗとを備えるとともに、このレール１１ｂの先端から係止片１１ｃが一体的に起立状に設けられている。このアウター部材１１の中にはインナー部材１２がスライド自在に配設されている。このインナー部材１２は、アウター部材１１の本体１１ａの一方の側面１１ｍと仕切壁１１ｗとにより形成される空間Ｓ1の中に嵌入する箱形の本体１２ａと、この本体１２ａから水平に延びてアウター部材１１のレール１１ｂに嵌入する断面略Ｕ字形のレール１２ｂとを備えている。
【００１７】
この本体１２ａには、アウター部材１１との間で水平フランジ３を挟む庇部１２ｃが突成され、またアウター部材１１の本体１１ａには、レール１１ｂとの間で水平フランジ３を挟む仮止め部１１ｄが設けられている。さらに、インナー部材１２の庇部１２ｃの根元は階段状に形成されている。
【００１８】
また、このアウター部材１１には、本体１１ａ内に配設されているインナー部材１２の他方の側壁１１ｎと仕切壁１１ｗとにより形成される空間Ｓ2を通って垂下する蝶ネジ付きボルトよりなる吊り具１３が設けられている。この吊り具１３は、蝶ネジの螺合位置を調整することにより、本体１１ａから下端までの長さが調節可能になっている。また、この吊り具１３の幅方向の位置が調整できるよう、本体１１ａの吊り具１３の貫通部は幅方向に沿う長孔１１ｐとされている。そして、吊り具１３の下端には、孔１４ａ、１４ａ、１４ａが形成されているＬ形の取付プレート１４が固定されている。
【００１９】
しかして、このインナー部材１２には、ラック１５がレール１２ｂに沿って所定ストロークだけスライドできるように嵌まっているとともに、インナー部材１２の先端とラック１５の先端との間には弾性部材としてのコイルスプリング１６が装着されている。また、ラック１５の基端には棒状の打ち込み部１５ａが延設されている。そのため、インナー部材１２の基端には、この打ち込み部１５ａのみが通過できる大きさの開口１２ｄが形成され、この開口１２ｄから打ち込み部１５ａが外方へ引き出されている。
【００２０】
一方、アウター部材１１には、ラック１５に係合する弾性復元力を有する爪１７が、その弾性復元力によりラック１５の歯を押圧する状態で取り付けられている。前記ラック１５および爪１７により、庇部１２ｃと係止片１１ｃとの間隔が狭まる方向へのインナー部材１２のスライドは許容する一方、広がる方向へのスライドは阻止するストッパ機構が構成されている。
【００２１】
この爪１７には、解除機構としての解除レバー１８が装着されていて、前記ストッパ機構のストッパ機能を解除できるようにされている。具体的には、この解除レバー１８は、アウター部材１１の下面の一部を下側へ引き出して折り曲げ形成するとともに、その先端１８ａを爪１７に当接してされてなるものとされ、そしてこの解除レバー１８を上方へ押すことにより、爪１７を押圧力に抗してラック１５から上方へ離し、これにより前記ストッパ機構のスライド阻止機能を解除するようにしている（図５参照）。
【００２２】
次に、かかる構成とされている天井吊り金具１０を用いた天井パネルの施工について図６ないし図１０を参照しながら説明する。
【００２３】
（１）解除レバー１８を上方へ押し、その先端１８ａにより爪１７を上方に押してストッパ機構のスライド阻止機能を解除し、インナー部材１２をスライドさせて庇部１２ｃと係止片１１ｃとの間隔を広げる（図６参照）。
【００２４】
（２）取付プレート１４が天井パネル４の桟に合うように天井吊り金具１０を位置づけ、アウター部材１１の仮止め部１１ｄとレール１１ｂとの間で、天井吊り金具１０を水平フランジ３に仮留めする（図７参照）。
【００２５】
（３）アウター部材１１の係止片１１ｃとインナー部材１２の基端とを持ってインナー部材１２をアウター部材１１へ押し込み、庇部１２ｃと係止片１１ｃとの間隔を狭めてこれらの間で水平フランジ３を挟む（図８参照）。
【００２６】
（４）（３）の作業の間は反力によりラック１５がインナー部材１２の基端側に押しつけられる。そして、インナー部材１２がそれ以上スライドできないようになってから、打ち込み部１５ａをハンマーなどで打撃すると、ラック１５の歯が爪１７を押し上げて移動し、コイルスプリング１６が圧縮されて力を蓄え、この復元力によりラック１５の歯に爪１７を押す方向の力が発生し、これにより振動などにより爪１７がラック１５の歯から外れるのが防止される（図９参照）。
【００２７】
（５）取付プレート１４に天井パネル４の桟を当てがい、これに孔１４ａを通して釘を打つなどして取り付け、吊り具１３の長さを適宜調整して天井パネル４の高さを調整すれば、施工が完了する（図１０参照）。この場合、必要応じ吊り具１３も幅方向に移動させて位置調整を行う（図１０中の左右方向の矢符参照）。
【００２８】
このように、この実施の形態においては、庇部１２ｃと係止片１１ｃとの間隔を広げて溝型鋼１の水平フランジ３に仮止めし、インナー部材１２をスライドさせて前記間隔を狭め、打ち込み部１５ａを打撃し、取付プレート１４に天井パネル４の桟を取り付け、吊り具１３の長さおよび幅方向の位置を調整するという簡単な操作により天井パネル４を吊ることができるので、天井パネル４の据付け作業を作業性良く簡単かつ安全になすことができる。しかも、従来のように床パネル２の根太と天井パネル４の桟との位置を合わせる必要がないから、この点でも天井パネル４の取り付けが簡単となる。また、吊り具１３の長さ調整により、施工後においても天井パネル４の高さを容易に調整できる。さらに、天井パネル４と床パネル２との間に溝型鋼１が介在するから、床パネル２の振動が天井パネル４に伝わり難い。
【００２９】
その上、打ち込み部１５ａを打撃すればコイルスプリング１６の復元力によりラック１５の歯に爪１７を押す方向の力が発生し、これにより振動などにより爪１７がラック１５の歯から外れるのが防止される。
【００３０】
さらにその上、インナー部材１２の庇部１２ｃの根元が階段状に形成されているので、図１１（ａ），（ｂ）に示すように、厚みの異なる２種類の溝型鋼１、１Ａを同一の天井吊り金具で挟むことができる。
【００３１】
なお、この実施の形態ではラック１５の歯に爪１７を弾性復元力により押しつけたが、爪を揺動可能に片持ち支持し、その先端を重力によりラックの歯に噛ませるようにしてもよい。また、ストッパ機構はラックおよび爪に限定されるものではなく、インナー部材の一方向へのスライドを許容し、これを操作により解除可能なものであれば他の機構でもよい。さらに、弾性部材としては他に板バネその他のバネ、あるいはゴム部材などを使用してもよい。
【００３２】
【発明の効果】
以上説明したように、本発明の天井吊り金具によれば、庇部と係止片との間隔を広げて鋼材の水平フランジに嵌め、インナー部材をスライドさせて前記間隔を狭め、取付プレートを天井パネルの桟を取り付け、吊り具の長さを調整するという簡単な操作により天井パネルを吊ることができるので、天井パネルを作業性良く簡単かつ安全に取り付けることができるという優れた効果が得られ、しかも従来のように階上床パネルの根太と階下天井パネルの桟との位置を合わせる必要がないから、この点でも天井パネルの取り付けが簡単となるという優れた効果も得られる。
【００３３】
また、吊り具の長さ調整により、施工後に天井パネルの高さを容易に調整できるという効果も得られる。さらに、天井パネルと床パネルとの間に鋼材が介在するから、階上床パネルの振動が天井パネルに伝わり難いという優れた効果も得られる。
【図面の簡単な説明】
【図１】本発明の天井吊り金具の一実施の形態の斜視図である。
【図２】同正面図である。
【図３】同実施の形態を用いた天井吊り構造の側面図である。
【図４】同実施の形態において、アウター部材およびインナー部材のレールの一部を切除して示した拡大斜視図である。
【図５】同実施の形態の拡大縦断面図である。
【図６】同実施の形態による天井パネルの施工手順を順を追って示す説明図であって、インナー部材を後方に引き出した状態を示す。
【図７】同実施の形態による天井パネルの施工手順を順を追って示す説明図であって、水平フランジをアウター部材に仮留めした状態を示す。
【図８】同実施の形態による天井パネルの施工手順を順を追って示す説明図であって、係止片とインナー部材とにより水平フランジを挾持した状態を示す。
【図９】同実施の形態による天井パネルの施工手順を順を追って示す説明図であって、打ち込み部をハンマーで打撃している状態を示す。
【図１０】同実施の形態による天井パネルの施工手順を順を追って示す説明図であって、蝶ナットを締めている状態を示す。
【図１１】同実施の形態を厚みの異なる２種類の溝型鋼へ使用した例を示す説明図であって、同（ａ）は薄い場合を示し、同（ｂ）は厚い場合を示す。
【図１２】従来の天井吊り構造の側面図である。
【符号の説明】
１        溝型鋼（鋼材）
２        床パネル
３        水平フランジ
４        天井パネル
１０        天井吊り金具
１１        アウター部材
１１ｂ      レール
１１ｃ      係止片
１１ｄ      仮止め部
１１ｐ      長孔
１１ｗ      仕切壁
１２        インナー部材
１２ｃ      庇部
１３        吊り具
１４        取付プレート
１５        ラック（ストッパ機構の構成部材）
１５ａ      打ち込み部
１６        コイルスプリング（弾性部材）
１７        爪（ストッパ機構の構成部材）
１８        解除レバー（解除機構）
Ｈ        天井吊り構造
Ｓ1，Ｓ2  空間
【図１】
0003716394.tif 000002
【図２】
0003716394.tif 000003
【図３】
0003716394.tif 000004
【図４】
0003716394.tif 000005
【図５】
0003716394.tif 000006
【図６】
0003716394.tif 000007
【図７】
0003716394.tif 000008
【図８】
0003716394.tif 000009
【図９】
0003716394.tif 000010
【図１０】
0003716394.tif 000011
【図１１】
0003716394.tif 000012
【図１２】
0003716394.tif 000013